(57)【要約】【課題】ドラムの嵌合部からの乾燥循環風の漏れを抑制し得るシール性の高い衣類乾燥機を提供することを課題とする。【解決手段】外枠１と、外枠１内に回転自在に支持され衣類を収容するドラム３と、ドラム３内に循環風を送風する循環ファン５と、循環風を加熱する加熱器１２と、外枠１に形成された衣類投入口２と、衣類投入口２に設けられドラムを支持する回転支持部材１３と、回転支持部材１３に形成されたシール部材１５と、ドラム３に形成されシール部材１５に当接するドラム嵌合部１４とを備え、シール部材１５は、ドラム嵌合部１４と当接する位置に潤滑部材１５ａを設け、シール部材１５の潤滑部材１５ａと回転支持部材１３とを結合する結合手段を設けることにより、シール部材１５と回転支持部材１３を結合することができ、循環風の漏れを防止し、シール性を継続維持することができる。【選択図】図１
2016005494.tif 000002
【特許請求の範囲】
【請求項１】
外枠と、前記外枠内に回転自在に支持され衣類を収容するドラムと、前記ドラム内に循環風を送風する循環ファンと、循環風を加熱する加熱器と、前記外枠に形成された衣類投入口と、前記衣類投入口に設けられ前記ドラムの回転を支持する回転支持部材と、前記回転支持部材に形成されたシール部材と、前記ドラムに形成され前記シール部材に当接するドラム嵌合部とを備え、前記シール部材は、前記ドラム嵌合部と当接する位置に潤滑部材を設け、前記シール部材の潤滑部材と前記回転支持部材とを結合する結合手段を設けたことを特徴とする衣類乾燥機。
【請求項２】
シール部材の潤滑部材に孔部を形成し、回転支持部材に、前記孔部に挿入される突起部を形成した請求項１に記載の衣類乾燥機。
【請求項３】
突起部を孔部に嵌合した後、前記突起部を圧潰する請求項２に記載の衣類乾燥機。
【請求項４】
シール部材の潤滑部材と回転支持部材とをねじ締結する請求項１に記載の衣類乾燥機。
【請求項５】
シール部材の潤滑部材に孔部を有し、前記孔部に押え板の一端を係合し、前記押え板の他端を回転支持部材に固定する請求項１に記載の衣類乾燥機。
【請求項６】
シール部材の潤滑部材と回転支持部材とを結束する請求項１に記載の衣類乾燥機。
【発明の詳細な説明】
【技術分野】
【０００１】
本発明は、ドラム内に収容した衣類の乾燥を行なう衣類乾燥機に関する。
【背景技術】
【０００２】
従来、この種の衣類乾燥機では、ドラム内の湿気を含んだ循環風がドラムから漏れるのを防止する構成が提案されている（例えば、特許文献１参照）。
【０００３】
図７は、従来の衣類乾燥機の概略縦断面図、図８は、同衣類乾燥機の要部斜視図である。
【０００４】
図７、図８において、外枠１の前面に衣類投入口２があり、内部に衣類を収容するドラム３が回転自在に支持され、ドラム３は、モータ（図示せず）によって回転駆動される。
【０００５】
運転中は、前面ドア４によって衣類投入口２が閉止される。そして、循環ファン５の駆動により、循環風６がケーシング７、ケーシング７とドラム３を連接する内部仕切り板８を介してドラム３内に送りこまれて、衣類から水分を除去する。衣類からの水分を含んだ循環風６は、ドラム３からダクト９を通って冷却器１０に導かれて、冷却され含有する水分が凝縮除去される。除去された水は、排水溜り１１からポンプ（図示せず）により機外へと排出される。そして、水分が除去された循環風６は、加熱器１２により加熱され温風となって再び循環ファン５でドラム３内へ送られる。
【０００６】
衣類からの水分を含んだ循環風６がドラム３内から外枠１や機外に漏れると、結露を引き起こすため、漏れ防止として衣類投入口２に設けられた回転支持部材１１３と、回転するドラム３の前端部に形成されたドラム嵌合部１１４との間には、シール部材１１５が配されている。
【０００７】
シール部材１１５は、ポリエステル繊維からなるフェルト等の潤滑部材１１５ａとウレタンフォーム等の弾性体１１５ｂとを貼り合わせた２層で構成され、回転支持部材１１３の凹部１１６に収容保持されており、ドラム嵌合部１１４が潤滑部材１１５ａの表面側と当接し、ドラム３の回転により摺動するようになっている。
【０００８】
また、特許文献２に示されるように、潤滑部材を直接回転支持部材に貼り付け、潤滑部材の有する弾性によりドラム嵌合部との隙間を塞ぐよう構成されるものがあった。
【０００９】
さらに、特許文献３に示されるように、複数に分割された回転支持部材でシール部材を挟み込んで固定する構成のものがあった。
【先行技術文献】
【特許文献】
【００１０】
【特許文献１】独国特許出願公開第１０２０１２２０７９７７号明細書
【特許文献２】特開平６−２６９５９９号公報
【特許文献３】特開２００５−１４３７９５号公報
【発明の概要】
【発明が解決しようとする課題】
【００１１】
しかしながら、上記従来の技術においては、以下のような問題が生ずる。
【００１２】
即ち、２層に貼り合わせたシール部材を回転支持部材に収容保持するものでは、ドラムの回転により、ドラム嵌合部から摩擦力を受ける潤滑部材と回転支持部材に保持された弾性体との間に剪断力を生じ、著しい場合には、両者が剥離・脱落しシール性が損なわれ、乾燥循環風が漏れる虞があった。
【００１３】
また、潤滑部材を直接回転支持部材に貼り付ける構成では潤滑部材の弾性、厚さ、耐熱性など材料・材質の選択に制限があった。
【００１４】
さらに、複数に分割された回転支持部材でシール部材を挟みこんで固定する構成では、シール部材を回転支持部材と強固に結合する必要があり、シール部材は、ドラム嵌合部と当接する部分以上に大きく、さらにはシール部材を交換する場合は、同時に回転支持部材も交換する必要があった。
【００１５】
本発明は、前記従来の課題を解決するもので、ドラムの嵌合部からの乾燥循環風の漏れを抑制し得るシール性の高い衣類乾燥機を提供することを目的とする。
【課題を解決するための手段】
【００１６】
前記従来の課題を解決するために、本発明の衣類乾燥機は、外枠と、前記外枠内に回転自在に支持され衣類を収容するドラムと、前記ドラム内に循環風を送風する循環ファンと、循環風を加熱する加熱器と、前記外枠に形成された衣類投入口と、前記衣類投入口に設けられ前記ドラムの回転を支持する回転支持部材と、前記回転支持部材に形成されたシール部材と、前記ドラムに形成され前記シール部材に当接し摺動するドラム嵌合部とを備え、前記シール部材は、前記ドラム嵌合部と当接する位置に潤滑部材を設け、前記シール部材の潤滑部材と前記回転支持部材とを結合する結合手段を設けたものである。
【００１７】
これによって、シール部材と回転支持部材を結合することができ、循環風の漏れを防止し、シール性を継続維持することができる。
【発明の効果】
【００１８】
本発明の衣類乾燥機は、シール部材と回転支持部材を結合することができ、循環風の漏れを防止し、シール性を継続維持することができる。
【図面の簡単な説明】
【００１９】
【図１】本発明の第１の実施の形態における衣類乾燥機の概略縦断面図
【図２】同衣類乾燥機のシール部材と回転支持部材の構成を示す要部斜視図
【図３】本発明の第２の実施の形態における衣類乾燥機のシール部材と回転支持部材の構成を示す要部斜視図
【図４】本発明の第３の実施の形態における衣類乾燥機のシール部材と回転支持部材の構成を示す要部斜視図
【図５】本発明の第４の実施の形態における衣類乾燥機のシール部材と回転支持部材の構成を示す要部斜視図
【図６】本発明の第５の実施の形態における衣類乾燥機のシール部材と回転支持部材の別の構成を示す要部斜視図
【図７】従来の衣類乾燥機の概略縦断面図
【図８】同衣類乾燥機のシール部材と回転支持部材の構成を示す要部斜視図
【発明を実施するための形態】
【００２０】
第１の本発明は、外枠と、前記外枠内に回転自在に支持され衣類を収容するドラムと、前記ドラム内に循環風を送風する循環ファンと、循環風を加熱する加熱器と、前記外枠の前面に形成された衣類投入口と、前記衣類投入口に設けられ前記ドラムの回転を支持する
回転支持部材と、前記回転支持部材に形成された凹部に装着された二層状のシール部材と、前記シール部材の一層を成し化学繊維から成るフェルト状の潤滑部材と、前記シール部材の他層を成しウレタンフォーム等から成る弾性体と、前記ドラムの前端部に形成され前記潤滑部材に当接し摺動するドラム嵌合部とを備え、前記シール部材は、潤滑部材に穴部を有し、前記回転支持部材に形成した突起部を前記穴部に嵌着して、前記シール部材の潤滑部材と前記回転支持部材とを結合した構成としたものである。
【００２１】
これによって、シール部材と回転支持部材を強固に結合することができ、循環風の漏れを防止し、高いシール性を継続維持することができる。
【００２２】
第２の本発明は、特に、第１の発明のシール部材は、潤滑部材に穴部を有し、回転支持部材に形成した突起部を前記穴部に嵌合した後、前記突起部を圧潰することにより前記穴部よりも大きい固定部を形成して前記シール部材の潤滑部材と前記回転支持部材とを結合した構成としたものである。
【００２３】
これによって、シール部材と回転支持部材を強固に結合することができ、循環風の漏れを防止し、高いシール性を継続維持することができる。
【００２４】
第３の本発明は、特に、第１の発明のシール部材は、潤滑部材に穴部を有し、前記穴部を介して回転支持部材に形成したボス部にねじを螺着することにより、前記シール部材の潤滑部材と前記回転支持部材とを結合した構成としたものである。
【００２５】
これによって、シール部材と回転支持部材を強固に結合することができ、循環風の漏れを防止し、高いシール性を継続維持することができる。
【００２６】
第４の本発明は、特に、第１の発明のシール部材は、潤滑部材に穴部を有し、一端がＵ字状で他端がＬ字状に形成された薄板金属板から成る押え板のＵ字状側を前記穴部に係合し、Ｌ字状側をねじにより回転支持部材に螺着することにより、前記シール部材の潤滑部材と前記回転支持部材とを結合した構成としたものである。
【００２７】
これによって、シール部材と回転支持部材を強固に結合することができ、循環風の漏れを防止し、高いシール性を継続維持することができる。
【００２８】
第５の本発明は、特に、第１の発明のシール部材は、潤滑部材に穴部を有し、前記穴部と回転支持部材に設けた穴部とを束線バンドにて結束することにより、前記シール部材の潤滑部材と前記回転支持部材とを結合した構成としたものである。
【００２９】
これによって、シール部材と回転支持部材を強固に結合することができ、循環風の漏れを防止し、高いシール性を継続維持することができる。
【００３０】
以下、本発明の実施の形態について、図面を参照しながら説明する。なお、従来例と同じ構成のものは同一符号を付して説明を省略する。また、この実施の形態によって本発明が限定されるものではない。
【００３１】
（実施の形態１）
以下、本発明の実施の形態について、図面を参照して詳細に説明する。
【００３２】
図１は、本発明の第１の実施の形態における衣類乾燥機の概略縦断面図、図２は、同衣類乾燥機のシール部材と回転支持部材の構成を示す図である。なお、従来技術の同一部品は、同一符号を付して説明を省略する。
【００３３】
図１、図２において、加熱器１２により加熱され温風となって循環ファン５でドラム３内へ送られた循環風６がドラム３外へ漏れないように、衣類投入口２に設けられた回転支持部材１１３とドラム嵌合部１４との間にシール部材１５が配されている。
【００３４】
シール部材１５は、回転支持部材１３の凹部１３ｃに装着されており、ポリエステル繊維から成るフェルト状の潤滑部材１５ａとウレタンフォーム等から成る弾性体１５ｃの２層構造に形成している。シール部材１５の潤滑部材１５ａは、回転するドラム３の前端部に形成したドラム嵌合部１４に当接するよう構成し、潤滑部材１５ａの外周側には、複数の孔部１５ｂを形成している。潤滑部材１５ａの孔部１５ｂに、回転支持部材１３に形成された突起部１３ａを嵌着することにより、潤滑部材１５ａと回転支持部材１３とを強固に結合している。
【００３５】
潤滑部材１５ａの孔部１５ｂに、回転支持部材１３に形成された突起部１３ａを嵌着して潤滑部材１５ａと回転支持部材１３とを結合することにより、ドラム嵌合部１４の摩擦力がシール部材１５に対して回転方向および半径方向に働いても、潤滑部材１５ａの弾性体１５ｃに対するずれを抑制でき、潤滑部材１５ａと弾性体１５ｃとの間に生じる剪断力を抑制してシール部材１５の破損を防止することができ、循環風の漏れを防止し、高いシール性を継続維持することができる。
【００３６】
（実施の形態２）
図３は、本発明の第２の実施の形態における衣類乾燥機のシール部材と回転支持部材の構成を示す図である。なお、シール部材と回転支持部材の構成以外については、第１の実施の形態と同じであるため、同一符号を付して説明を省略する。
【００３７】
図３において、シール部材２５は、回転支持部材２３の凹部２３ｃに装着されている。シール部材２５は、ポリエステル繊維からなるフェルト状の潤滑部材２５ａとウレタンフォーム等から成る弾性体２５ｃの２層構造であり、回転するドラム３の前端部に形成したドラム嵌合部１４が当接して摺動する潤滑部材２５ａには、複数の孔部２５ｂを形成している。回転支持部材２３には、突起部２３ｂを形成し、突起部２３ｂを孔部２５ｂに嵌合した後、突起部２３ｂの先端を圧潰して固定部２３ｄを形成し、その固定部２３ｄを潤滑部材２５ａの孔部２５ｂよりも拡大することで潤滑部材２５ａと回転支持部材２３を強固に結合している。
【００３８】
この構成により、ドラム嵌合部１４の摩擦力がシール部材２５に対して回転方向および半径方向に作用しても、潤滑部材２５ａと弾性体２５ｃのずれを抑制することができ、潤滑部材２５ａと弾性体２５ｃとの間に生じる剪断力によるシール部材２５の破損を抑制でき、循環風の漏れを防止し、高いシール性を継続維持することができる。
【００３９】
（実施の形態３）
図４は、本発明の第３の実施の形態における衣類乾燥機のシール部材と回転支持部材の構成を示す図である。なお、シール部材と回転支持部材の構成以外については、第１の実施の形態と同じであるので、同一符号を付して説明を省略する。
【００４０】
図４において、シール部材３５は、回転支持部材３３の凹部３３ｃに装着されており、ポリエステル繊維からなるフェルト状の潤滑部材３５ａとウレタンフォーム等から成る弾性体３５ｃの２層構造に構成している。回転するドラム３の前端部に形成したドラム嵌合部１４が当接して摺動する潤滑部材３５ａには、複数の孔部３５ｂを形成している。回転支持部材３３には、孔部３５ｂに対応した位置にボス部３３ａを形成し、ねじ１６を、孔部３５ｂを介してボス部３３ａに螺着することにより、潤滑部材３５ａと回転支持部材３
３とを強固に結合している。
【００４１】
この構成により、ドラム嵌合部１４による摩擦力がシール部材３５に対して回転方向および半径方向に作用しても、潤滑部材３５ａと弾性体３５ｃとのずれを抑制することができ、潤滑部材３５ａと弾性体３５ｃとの間に生じる剪断力を抑制することができ、シール部材３５の破損を防止でき、循環風の漏れを防止し、高いシール性を継続維持することができる。
【００４２】
なお、本実施の形態では、潤滑部材３５ａに孔部３５ｂを形成したが、孔部３５ｂを形成することなく、ねじ締結してもよい。
【００４３】
（実施の形態４）
図５は、本発明の第４の実施の形態における衣類乾燥機のシール部材と回転支持部材の構成を示す図である。なお、シール部材と回転支持部材の構成以外については、第１の実施の形態と同じであり、同一符号を付して説明を省略する。
【００４４】
図５において、シール部材４５は、回転支持部材４３の凹部４３ｃに装着されており、ポリエステル繊維からなるフェルト状の潤滑部材４５ａとウレタンフォーム等から成る弾性体４５ｃの２層構造に構成している。シール部材４５には、回転するドラム３の前端部に形成したドラム嵌合部１４が当接して摺動する潤滑部材４５ａに、複数の孔部４５ｂを形成している。回転支持部材４３と潤滑部材４５ａは、孔部４５ｂに挿入した薄板金属板からなる押え板１７により固定される。押え板１７は、Ｕ字状に形成した一端を孔部４５ｂに挿入し、Ｌ字状に形成した他端をねじ１９により回転支持部材４３の平面部４３ａに螺着することにより、強固に結合している。
【００４５】
この構成により、ドラム嵌合部１４による摩擦力がシール部材４５に対して回転方向および半径方向に作用しても、潤滑部材４５ａと弾性体４５ｃとのずれを抑制することができ、潤滑部材４５ａと弾性体４５ｃとの間に生じる剪断力を抑制することができ、シール部材４５の破損を防止でき、循環風の漏れを防止し、高いシール性を継続維持することができる。
【００４６】
なお、押え板１７の他端側は、図５とは逆方向に屈曲させて鋭利な形状に形成し、一端側を孔部４５ｂに挿入した後、治具等により圧縮させて回転支持部材４３に食い込ませることにより固定する構成とすることもできる。
【００４７】
（実施の形態５）
図６は、本発明の第５の実施の形態における衣類乾燥機のシール部材と回転支持部材の構成を示す図である。なお、シール部材と回転支持部材の構成以外については、第１の実施の形態と同じであり、同一符号を付して説明を省略する。
【００４８】
図６において、シール部材５５は、回転支持部材５３の凹部５３ｃに装着されており、ポリエステル繊維からなるフェルト状の潤滑部材５５ａとウレタンフォーム等から成る弾性体５５ｃの２層構造に構成している。シール部材５５には、回転するドラム３の前端部に形成したドラム嵌合部１４が当接して摺動する潤滑部材５５ａに、複数の孔部５５ｂを有している。回転支持部材５３にも、潤滑部材５５ａの孔部５５ｂに対応する位置に孔部５３ａを形成している。潤滑部材５５ａの孔部５５ｂと回転支持部材５３の孔部５３ａに束線バンド２０を通し、結束することで、潤滑部材５５ａと回転支持部材５３が強固に結合されている。なお、束線バンド２０は汎用的なものを用いることができる。
【００４９】
この構成により、ドラム嵌合部１４による摩擦力がシール部材５５に対して回転方向お
よび半径方向に作用しても、潤滑部材５５ａと弾性体５５ｃとにずれが生じるのを抑制することができ、潤滑部材５５ａと弾性体５５ｃとの間に生じる剪断力を抑制することができ、シール部材５５の破損を防止でき、循環風の漏れを防止し、高いシール性を継続維持することができる。
【産業上の利用可能性】
【００５０】
以上のように、本発明に係る衣類乾燥機は、シール部材と回転支持部材を強固に結合することにより、循環風の漏れを防止し、高いシール性を継続維持することができるので、乾燥機能を有する洗濯乾燥機などの用途に適用できる。
【符号の説明】
【００５１】
１  外枠
２  衣類投入口
３  ドラム
５  循環ファン
１０  冷却器
１２  加熱器
１３  回転支持部材
１３ａ  突起部
１４  ドラム嵌合部
１５  シール部材
１５ａ  潤滑部材
１５ｂ  孔部
１５ｃ  弾性体
１６  ねじ
１７  押え板
１９  ねじ
２０  束線バンド
２３  回転支持部材
２３ｂ  突起部
２５  シール部材
２５ａ  潤滑部材
２５ｂ  孔部
２５ｃ  弾性体
３３  回転支持部材
３３ａ  ボス部
３５  シール部材
３５ａ  潤滑部材
３５ｂ  孔部
３５ｃ  弾性体
４３  回転支持部材
４５  シール部材
４５ａ  潤滑部材
４５ｂ  孔部
４５ｃ  弾性体
５３  回転支持部材
５３ａ  孔部
５５  シール部材
５５ａ  潤滑部材
５５ｂ  孔部
５５ｃ  弾性体
【図１】
2016005494.tif 000003
【図２】
2016005494.tif 000004
【図３】
2016005494.tif 000005
【図４】
2016005494.tif 000006
【図５】
2016005494.tif 000007
【図６】
2016005494.tif 000008
【図７】
2016005494.tif 000009
【図８】
2016005494.tif 000010